(57)【特許請求の範囲】
【請求項１】
携帯装置との間に第１のマルチメディアチャネルを有すると共に、画像表示器との間に第２のマルチメディアチャネルを有するオーディオ再生装置であって、
アンテナと、
前記携帯装置から伝送されたマルチメディアストリームデータを、前記携帯装置との間に前記第１のマルチメディアチャネルを有する前記アンテナを介して無線受信する無線受信ユニットと、
前記無線受信ユニットに電気的に接続されており、前記マルチメディアストリームデータを受信すると共に前記マルチメディアストリームデータをビデオストリームデータとオーディオストリームデータとに分離するマルチメディア処理ユニットと、
前記マルチメディア処理ユニットに電気的に接続されており、前記ビデオストリームデータを受信すると共に、ビデオ再生を行うことができるように前記ビデオストリームデータを前記第２のマルチメディアチャネルを介して前記画像表示器に伝送するビデオ送受信機と、
前記マルチメディア処理ユニットに電気的に接続されており、前記オーディオストリームデータを受信して復号化するオーディオ処理ユニットと、
復号化された前記オーディオストリームデータを受信すると共にオーディオ再生を行うスピーカと、
を含むことを特徴とするオーディオ再生装置。
【請求項２】
前記オーディオ処理ユニットと前記スピーカとの間に電気的に接続されており、復号化された前記オーディオストリームデータの出力を増幅するのに用いられるオーディオ増幅ユニットを更に含むことを特徴とする請求項１に記載のオーディオ再生装置。
【請求項３】
前記ビデオ送受信機と前記画像表示器との間に電気的に接続されるコネクタを更に含み、
前記ビデオ送受信機は、高精細度マルチメディアビデオ送受信機であり、
前記コネクタは、高精細度マルチメディアインターフェースであることを特徴とする請求項１に記載のオーディオ再生装置。
【請求項４】
前記無線受信ユニットの通信プロトコルは、ブルートゥース通信プロトコル規格又はＩＥＥＥ８０２．１１シリーズであるＷｉ−Ｆｉ通信プロトコル規格であることを特徴とする請求項１に記載のオーディオ再生装置。
【請求項５】
マルチメディアストリームデータを伝送するのに用いられる携帯装置と、
スピーカを含んでおり、第１のマルチメディアチャネルを介して前記携帯装置に無線接続されており、前記マルチメディアストリームデータを受信すると共に前記マルチメディアストリームデータをビデオストリームデータとオーディオストリームデータとに分離し、前記オーディオストリームデータを前記スピーカを介してオーディオ再生するオーディオ再生装置と、
第２のマルチメディアチャネルを介して前記オーディオ再生装置に接続され、前記ビデオストリームデータを受信してビデオ再生を行う画像表示器と、
を含むことを特徴とするマルチメディアビデオ再生システム。
【請求項６】
前記オーディオ再生装置は、
アンテナと、
前記携帯装置から伝送された前記マルチメディアストリームデータを、前記携帯装置との間に前記第１のマルチメディアチャネルを有する前記アンテナを介して無線受信する無線受信ユニットと、
前記無線受信ユニットに電気的に接続されており、前記マルチメディアストリームデータを受信すると共に前記マルチメディアストリームデータを前記ビデオストリームデータと前記オーディオストリームデータとに分離するマルチメディア処理ユニットと、
前記マルチメディア処理ユニットに電気的に接続されており、前記ビデオストリームデータを受信すると共に、ビデオ再生を行うことができるように前記ビデオストリームデータを前記第２のマルチメディアチャネルを介して前記画像表示器に伝送するビデオ送受信機と、
前記マルチメディア処理ユニットに電気的に接続されており、前記オーディオストリームデータを受信して復号化すると共に、オーディオ再生を行うことができるように、復号化した前記オーディオストリームデータを前記スピーカに伝送するオーディオ処理ユニットと、
を更に含むことを特徴とする請求項５に記載のマルチメディアビデオ再生システム。
【請求項７】
前記オーディオ再生装置は、
前記オーディオ処理ユニットと前記スピーカとの間に電気的に接続されており、復号化された前記オーディオストリームデータの出力を増幅するのに用いられるオーディオ増幅ユニットを更に含むことを特徴とする請求項６に記載のマルチメディアビデオ再生システム。
【請求項８】
前記オーディオ再生装置は、
前記ビデオ送受信機と前記画像表示器との間に電気的に接続されるコネクタを更に含み、
前記ビデオ送受信機は、高精細度マルチメディアビデオ送受信機であり、
前記コネクタは、高精細度マルチメディアインターフェースであることを特徴とする請求項６に記載のマルチメディアビデオ再生システム。
【請求項９】
前記無線受信ユニットの通信プロトコルは、ブルートゥース通信プロトコル規格又はＩＥＥＥ８０２．１１シリーズであるＷｉ−Ｆｉ通信プロトコル規格であることを特徴とする請求項６に記載のマルチメディアビデオ再生システム。
【請求項１０】
携帯装置との間に第１のマルチメディアチャネルを有すると共に画像表示器との間に第２のマルチメディアチャネルを有しており、アンテナと、前記携帯装置に無線接続される無線受信ユニットと、前記無線受信ユニットに電気的に接続されるマルチメディア処理ユニットと、前記マルチメディア処理ユニットと前記画像表示器とに電気的に接続されるビデオ送受信機と、前記マルチメディア処理ユニットに電気的に接続されるオーディオ処理ユニットと、前記オーディオ処理ユニットに電気的に接続されるスピーカとを含むオーディオ再生装置に用いられるマルチメディアビデオ再生方法であって、
前記無線受信ユニットが、前記携帯装置から伝送されたマルチメディアストリームデータを、前記携帯装置との間に前記第１のマルチメディアチャネルを有する前記アンテナを介して無線受信するステップと、
前記マルチメディア処理ユニットが、前記マルチメディアストリームデータを受信すると共に前記マルチメディアストリームデータをビデオストリームデータとオーディオストリームデータとに分離するステップと、
前記ビデオ送受信機が、前記第２のマルチメディアチャネルを介して前記ビデオストリームデータを前記画像表示器に伝送してビデオ再生を行うステップと、
前記オーディオ処理ユニットが、前記オーディオストリームデータを受信して復号化すると共に、復号化した前記オーディオストリームデータを前記スピーカに伝送してオーディオ再生を行うステップと、
を含むことを特徴とするマルチメディアビデオ再生方法。
【請求項１１】
前記オーディオ再生装置は、
前記オーディオ処理ユニットと前記スピーカとの間に電気的に接続されており、復号化された前記オーディオストリームデータの出力を増幅するのに用いられるオーディオ増幅ユニットを更に含むことを特徴とする請求項１０に記載のマルチメディアビデオ再生方法。
【請求項１２】
前記オーディオ再生装置は、
前記ビデオ送受信機と前記画像表示器との間に電気的に接続されるコネクタを更に含み、
前記ビデオ送受信機は、高精細度マルチメディアビデオ送受信機であり、
前記コネクタは、高精細度マルチメディアインターフェースであることを特徴とする請求項１０に記載のマルチメディアビデオ再生方法。
【発明の詳細な説明】
【技術分野】
【０００１】
本発明は、オーディオ再生装置、マルチメディアビデオ再生システム及びその再生方法に関し、特に携帯装置から伝送されたマルチメディアストリームデータを無線方式で受信すると共に再生を行うオーディオ再生装置、マルチメディアビデオ再生システム及びその再生方法に関する。
【背景技術】
【０００２】
近年、液晶テレビの大サイズ化及び薄型化の発展傾向に加え、液晶テレビが壁面上に掛け付けられる使用習慣などにより、液晶テレビの音声効果が理想的ではない問題が生じている。従って、音響メーカは、テレビ鑑賞時の聴感効果を改善するために、大サイズ液晶スクリーンと組み合わせて使用できるサウンドバー（Sound Bar）と呼ばれるバー状の音響設備を相次いで製造販売している。また、このようなサウンドバーは、前置きのスピーカが自然に同一水平面上に設けられると共に、単一のサウンドバーによる横向きに分布される音声が大サイズ液晶テレビ画面の位置と一致するように構成されている。従って、一般的な液晶テレビの左右両側に内蔵されたスピーカと比較すると、サウンドバー製品はより好ましい音響効果を提供することが可能である。
【０００３】
先行技術によって無線ビデオストリーミング技術が普及するのに伴い、ハンドヘルド装置内のビデオデータをテレビに無線ストリーミングすることに対する消費者の需要が多様化している。しかしながら、現在の市場におけるテレビと組み合わされる例えばサウンドバーといった無線オーディオ再生装置は、一般的にはテレビからの音源又はハンドヘルド型装置から無線ストリーミングされた音源しか受信することができず、画像データを無線で受信することはできない問題があった。
【発明の概要】
【発明が解決しようとする課題】
【０００４】
本発明は、オーディオ再生装置、マルチメディアビデオ再生システム及びその再生方法を提供することを課題とする。
【課題を解決するための手段】
【０００５】
本発明の実施例に係るオーディオ信号を再生するためのオーディオ再生装置は、携帯装置との間に第１のマルチメディアチャネルを有すると共に、画像表示器との間に第２のマルチメディアチャネルを有する。オーディオ再生装置は、アンテナ、無線受信ユニット、マルチメディア処理ユニット、ビデオ送受信機、オーディオ処理ユニット及びスピーカを含む。無線受信ユニットは、携帯装置から伝送されたマルチメディアビデオデータをアンテナを介して無線受信する。アンテナと携帯装置との間には、第１のマルチメディアチャネルを有する。マルチメディア処理ユニットは、無線受信ユニットに電気的に接続されており、マルチメディアストリームデータを受信すると共に当該マルチメディアストリームデータをビデオストリームデータ（video stream data）とオーディオストリームデータ（audio stream data）とに分離するのに用いられる。ビデオ送受信機は、マルチメディア処理ユニットに電気的に接続されており、ビデオストリームデータを受信すると共に、ビデオ再生を行うことができるように、当該ビデオストリームデータを第２のマルチメディアチャネルを介して画像表示器に伝送するのに用いられる。オーディオ処理ユニットは、マルチメディア処理ユニットに電気的に接続されており、オーディオストリームデータを受信して復号化すると共に、オーディオ再生を行うことができるように復号化したオーディオストリームデータをスピーカに伝送するのに用いられる。
【０００６】
本発明に係る１つの実施例において、オーディオ再生装置は、オーディオ増幅ユニットを更に含む。オーディオ増幅ユニットは、オーディオ処理ユニットとスピーカとの間に電気的に接続される。オーディオ増幅ユニットは、復号化されたオーディオストリームデータの出力を増幅するのに用いられる。
【０００７】
本発明に係る１つの実施例において、オーディオ再生装置は、コネクタを更に含む。コネクタは、ビデオ送受信機と画像表示器との間に電気的に接続される。ビデオ送受信機は、高精細度マルチメディアビデオ送受信機であり、コネクタは、高精細度マルチメディアインターフェースである。
【０００８】
本発明に係る１つの実施例において、無線受信ユニットの通信プロトコルは、ブルートゥース（Bluetooth（登録商標））通信プロトコル規格又はＷｉ−Ｆｉ（ＩＥＥＥ８０２．１１シリーズ）通信プロトコル規格である。
【０００９】
本発明の実施例に係るマルチメディアビデオ再生システムは、携帯装置、オーディオ再生装置及び画像表示器を含む。携帯装置は、マルチメディアストリームデータを伝送するのに用いられる。オーディオ再生装置は、第１のマルチメディアチャネルを介して携帯装置に無線接続される。オーディオ再生装置は、マルチメディアストリームデータを受信すると共に当該マルチメディアストリームデータをビデオストリームデータとオーディオストリームデータとに分離する。オーディオ再生装置は、オーディオストリームデータをスピーカを介してオーディオ再生する。画像表示器は、第２のマルチメディアチャネルを介してオーディオ再生装置に接続されており、ビデオストリームデータを受信してビデオ再生を行うのに用いられる。
【００１０】
本発明の実施例に係るオーディオ再生装置に用いられるマルチメディアビデオ再生方法において、オーディオ再生装置は、携帯装置との間に第１のマルチメディアチャネルを有すると共に、画像表示器との間に第２のマルチメディアチャネルを有する。オーディオ再生装置は、アンテナ、無線受信ユニット、マルチメディア処理ユニット、ビデオ送受信機、オーディオ処理ユニット及びスピーカを含む。無線受信ユニットは、携帯装置に無線接続される。マルチメディア処理ユニットは、無線受信ユニットに電気的に接続される。ビデオ送受信機は、マルチメディア処理ユニット及び画像表示器に電気的に接続される。オーディオ処理ユニットは、マルチメディア処理ユニット及びスピーカに電気的に接続される。マルチメディアビデオ再生方法は、携帯装置から伝送されたマルチメディアストリームデータを、携帯装置との間に第１のマルチメディアチャネルを有するアンテナを介して無線受信するステップと、マルチメディアストリームデータを受信すると共に当該マルチメディアストリームデータをビデオストリームデータとオーディオストリームデータとに分離するステップと、第２のマルチメディアチャネルを介してビデオストリームデータを画像表示器に伝送してビデオ再生を行うステップと、オーディオストリームデータを受信して復号化すると共に、復号化したオーディオストリームデータをスピーカに伝送してオーディオ再生を行うステップと、を含む。
【発明の効果】
【００１１】
本発明の実施例に係るオーディオ再生装置、マルチメディアビデオ再生システム及びその再生方法では、マルチメディア処理ユニットを利用することで、マルチメディアストリームデータをビデオストリームデータとオーディオストリームデータとに分離すると共に、ビデオストリームデータとオーディオストリームデータとをそれぞれ画像表示器とスピーカとに伝送する。これにより、消費者が無線ビデオストリーミング機能を使用する際の設置方式を簡素化すると共に、より好ましい鑑賞及び聴感体験を実現することができる。
【図面の簡単な説明】
【００１２】
【図１】本発明に係る例示的実施例におけるオーディオ再生装置を示すブロック図である。
【図２】本発明に係る他の例示的実施例におけるオーディオ再生装置を示すブロック図である。
【図３】本発明に係る例示的実施例におけるマルチメディアビデオ再生システムを示すブロック図である。
【図４】本発明に係る例示的実施例におけるマルチメディアビデオ再生方法を示すフローチャートである。
【発明を実施するための形態】
【００１３】
本発明の技術内容をより深く理解することができるように、以下、図面を参照しながら詳細に説明する。但し、以下の説明及び図面は、本発明に関する説明の便宜上用いるものに過ぎず、本発明の特許請求の範囲を何ら制限するものではない。
【００１４】
以下の説明及び参照する図面において、本発明をより詳しく記述するための例示的実施例を開示するが、本発明の概念は、様々な異なる形式によって実現することが可能であり、本願明細書において説明する例示的実施例に限定されない。確実に言えることは、これら例示的実施例を提供することによって、本発明が詳細且つ完全なものとなり、当業者に対して十分に本発明の概念の範囲を伝えることができることである。各図面において、明瞭となるように層又は領域の大きさ又は相対的な大きさを誇張して示す。類似の数字は、一貫して類似の素子を示す。
【００１５】
本願明細書において、「第１の」、「第２の」、「第３の」といった用語を用いて各種素子を説明するが、これらの素子は、これらの用語に制限されない。これらの用語はある素子と他の素子とを区別するのに用いられる。従って、以下に述べる第１の素子は、第２の素子と呼ぶことが可能であり、本発明の概念の教示から逸脱するものではない。本願明細書において使用されるように、用語である「及び／又は」は、列挙された関連項目のいずれか１つ又は１つ若しくは複数のあらゆる組み合わせを含む。
【００１６】
＜オーディオ再生装置の実施例＞
図１を用いて説明する。図１は、本発明に係る例示的実施例におけるオーディオ再生装置を示すブロック図である。図１に示すように、オーディオ再生装置１００は、アンテナＡＴ、無線受信ユニット１１０、マルチメディア処理ユニット１２０、ビデオ送受信機１３０、オーディオ処理ユニット１４０、オーディオ増幅ユニット１５０及びスピーカ１６０を含む例えばサウンドバー（Sound Bar）であってもよい。本実施例において、オーディオ再生装置１００と携帯装置ＭＤとの間に第１のマルチメディアチャネル（first multimedia channel）ＭＣ１を有すると共に、オーディオ再生装置１００と画像表示器ＩＭとの間に第２のマルチメディアチャネル（second multimedia channel）ＭＣ２を有する。本発明の第１のマルチメディアチャネルＭＣ１は、無線通信チャネルである。マルチメディア処理ユニット１２０は、無線受信ユニット１１０及びビデオ送受信機１３０に電気的に接続される。オーディオ処理ユニット１４０は、マルチメディア処理ユニット１２０に電気的に接続される。オーディオ増幅ユニット１５０は、オーディオ処理ユニット１４０とスピーカ１６０との間に電気的に接続される。本実施例において、画像表示器ＩＭは、例えばＯＬＥＤ表示器、ＬＥＤ表示器、ＬＣＤ表示器又はプラズマ表示器であってもよい。
【００１７】
無線受信ユニット１１０は、携帯装置ＭＤから伝送されたマルチメディアストリームデータＭＳＤをアンテナＡＴを介して無線受信する。アンテナＡＴと携帯装置ＭＤとの間には、第１のマルチメディアチャネルＭＣ１を有する。本発明は、アンテナＡＴの実現形式によって制限されない。更に、無線受信ユニット１１０は、ブルートゥースモジュール又はＷｉ−Ｆｉ（ＩＥＥＥ８０２．１１シリーズ）モジュールであってもよい。即ち、無線受信ユニット１１０の通信プロトコルは、ブルートゥース通信プロトコル規格又はＷｉ−Ｆｉ（ＩＥＥＥ８０２．１１シリーズ）通信プロトコル規格である。また、携帯装置ＭＤは、例えばスマートフォン、タブレットＰＣ又はノートパソコンであってもよい。
【００１８】
マルチメディア処理ユニット１２０は、マルチメディアストリームデータＭＳＤを受信すると共に当該マルチメディアストリームデータＭＳＤをビデオストリームデータＶＳＤとオーディオストリームデータＡＳＤとに分離するのに用いられる。その後、マルチメディア処理ユニット１２０は、ビデオ再生を行うことができるように、ビデオストリームデータＶＳＤを画像表示器ＩＭに伝送する。またマルチメディア処理ユニット１２０は、オーディオ再生を行うことができるように、オーディオストリームデータＡＳＤをオーディオ再生装置１００内のスピーカ１６０に伝送する。
【００１９】
ビデオ送受信機１３０は、ビデオストリームデータＶＳＤを受信すると共に、ビデオ再生を行うことができるように当該ビデオストリームデータＶＳＤを第２のマルチメディアチャネルＭＣ２を介して画像表示器ＩＭに伝送するのに用いられる。更に言えば、ビデオ送受信機１３０は、画像表示器ＩＭとの間で有線又は無線による通信接続を行うことができる。
【００２０】
オーディオ処理ユニット１４０は、オーディオストリームデータＡＳＤを受信して復号化すると共に、オーディオ再生を行うことができるように復号化したオーディオストリームデータＡＳＤをオーディオ増幅ユニット１５０を介してスピーカ１６０に伝送するのに用いられる。
【００２１】
オーディオ増幅ユニット１５０は、復号化されたオーディオストリームデータＡＳＤの出力を増幅するのに用いられる。
【００２２】
以下、オーディオ再生装置１００の作動原理を更に説明する。
【００２３】
使用者が鑑賞を行うために携帯装置ＭＤ内のマルチメディアビデオファイルを画像表示器ＩＭに伝送しようとする場合、使用者は、本発明に係るオーディオ再生装置１００を介してマルチメディアビデオファイル内のビデオ信号とオーディオ信号とを分離することで、マルチメディアビデオファイル内のビデオ信号を画像表示器ＩＭに伝送して画面表示を行うと共に、オーディオ再生装置１００内のスピーカ１６０を介してマルチメディアビデオファイル内のオーディオ信号を再生することができる。これにより、消費者が無線ビデオストリーミング機能を使用する際の設置方式を簡素化すると共に、より好ましい鑑賞及び聴感体験を実現することができる。
【００２４】
詳しく言えば、使用者が操作する携帯装置ＭＤから第１のマルチメディアチャネルＭＣ１を介してマルチメディアストリームデータＭＳＤがオーディオ再生装置１００のアンテナＡＴに伝送されると、無線受信ユニット１１０は、アンテナＡＴを介してマルチメディアストリームデータＭＳＤを受信する。次いで、無線受信ユニット１１０は、マルチメディアストリームデータＭＳＤをマルチメディア処理ユニット１２０に伝送する。その後、マルチメディア処理ユニット１２０は、受信したマルチメディアストリームデータＭＳＤをビデオストリームデータＶＳＤとオーディオストリームデータＡＳＤとに分離する。ビデオストリームデータＶＳＤの後続処理について述べると、マルチメディア処理ユニット１２０は、ビデオストリームデータＶＳＤをビデオ送受信機１３０に伝送する。次いで、画像表示器ＩＭにビデオ再生を行わせることで使用者がマルチメディアビデオファイルの画面を鑑賞できるように、ビデオ送受信機１３０は、第２のマルチメディアチャネルＭＣ２を介してビデオストリームデータＶＳＤを画像表示器ＩＭに伝送する。本実施例における第２のマルチメディアチャネルＭＣ２は、無線通信チャネルである。即ち、ビデオ送受信機１３０は、ビデオストリームデータＶＳＤを無線形式で画像表示器ＩＭに伝送する。一方、オーディオストリームデータＡＳＤについて述べると、マルチメディア処理ユニット１２０は、オーディオ復号化又は関連する信号処理が行われるようにオーディオストリームデータＡＳＤをオーディオ処理ユニット１４０に伝送し、オーディオ処理ユニット１４０は、復号化したオーディオストリームデータＡＳＤをオーディオ増幅ユニット１５０に伝送する。本実施例において、オーディオ増幅ユニット１５０は、復号化されたオーディオストリームデータＡＳＤの出力を増幅すると共に、オーディオ再生が行われることで使用者が良好なオーディオサラウンド品質を聴取することができるように復号化されたオーディオストリームデータＡＳＤをスピーカに伝送する。
【００２５】
本発明に係るオーディオ再生装置１００の動作フローをより詳しく説明するために、以下、複数の実施例における少なくとも１つの実施例を取り上げることによって更なる説明を行う。
【００２６】
以下に挙げる複数の実施例においては、上述した図１の実施例とは異なる部分について説明すると共に、上述した図１の実施例と同一の部分については説明を省略する。また、説明の便宜上、類似の数字は又は符号は類似の素子を示す。
【００２７】
＜オーディオ再生装置の他の実施例＞
図２を用いて説明する。図２は、本発明に係る他の例示的実施例におけるオーディオ再生装置を示すブロック図である。図２に示すように、上述した図１の実施例と異なる点は、オーディオ再生装置２００（例えばサウンドバーであってもよい）がコネクタ２１０を更に含むことである。コネクタ２１０は、ビデオ送受信機１３０と画像表示器ＩＭとの間に電気的に接続される。簡単に言えば、オーディオ再生装置２００は、有線接続の形式で画像表示器ＩＭに電気的に接続される。従って、本実施例の第２のマルチメディアチャネルＭＣ２は、有線通信チャネルである。本実施例において、ビデオ送受信機１３０は、高精細度マルチメディアビデオ送受信機であり、コネクタ２１０は高精細度マルチメディアインターフェース（High Definition Multimedia Interface：ＨＤＭＩ（登録商標））である。ＨＤＭＩインターフェースは、５Ｇｂｐｓものデータ伝送帯域幅を提供することができると共に、無圧縮の可聴周波数信号及び高精細度ビデオ周波数信号を伝送することができる。ＨＤＭＩを適用する利点としては、ＨＤＭＩケーブル１本だけでビデオ信号を同時に伝送することが可能であり、従来のような複数のケーブルで接続することを必要としないことや、消費者にとって、ＨＤＭＩ技術が鮮明な画質を提供できるだけでなく、オーディオ／ビデオで同一ケーブルを採用しているため、ホームシアターシステムの取付けを大幅に簡素化できることが挙げられる。
【００２８】
以下、オーディオ再生装置２００の作動原理を更に説明する。
【００２９】
同様に、使用者が操作する携帯装置ＭＤから第１のマルチメディアチャネルＭＣ１を介してマルチメディアストリームデータＭＳＤがオーディオ再生装置１００のアンテナＡＴに伝送されると、無線受信ユニット１１０は、アンテナＡＴを介してマルチメディアストリームデータＭＳＤを受信する。次いで、無線受信ユニット１１０は、マルチメディアストリームデータＭＳＤをマルチメディア処理ユニット１２０に伝送する。その後、マルチメディア処理ユニット１２０は、受信したマルチメディアストリームデータＭＳＤをビデオストリームデータＶＳＤとオーディオストリームデータＡＳＤとに分離する。ビデオストリームデータＶＳＤの後続処理について述べると、マルチメディア処理ユニット１２０は、ビデオストリームデータＶＳＤをビデオ送受信機１３０に伝送する。次いで、画像表示器ＩＭにビデオ再生を行わせることで使用者がマルチメディアビデオファイルの画面を鑑賞できるように、ビデオ送受信機１３０は、ビデオストリームデータＶＳＤをコネクタ２１０に伝送し、コネクタ１２０は、第２のマルチメディアチャネルＭＣ２（有線形式）を介してビデオストリームデータＶＳＤを画像表示器ＩＭに伝送する。一方、オーディオストリームデータＡＳＤについては、上述した図１の実施例と同様であるため、説明を省略する。
【００３０】
また、１つの実施例において、画像表示器ＩＭにおいてアナログテレビ番組又はデジタルテレビ番組の再生を行う場合、画像表示器ＩＭ（例えばＬＣＤ表示器など）は、オーディオ再生を行うことができるように、オーディオ信号をオーディオ再生装置２００に伝送する。つまり、画像表示器ＩＭは、オーディオ信号をケーブルを介してコネクタ２１０（例えばＨＤＭＩなど）、ビデオ送受信機１３０及びマルチメディア処理ユニット１２０に伝送する。次いで、マルチメディア処理ユニット１２０は、オーディオ再生を行うことができるように、オーディオ信号をオーディオ処理ユニット１４０及びオーディオ増幅ユニット１５０を介してスピーカ１６０に伝送する。
【００３１】
＜マルチメディアビデオ再生システムの１つの実施例＞
図３を用いて説明する。図３は、本発明に係る例示的実施例におけるマルチメディアビデオ再生システムを示すブロック図である。図３に示すように、マルチメディアビデオ再生システム３００は、携帯装置３１０、オーディオ再生装置３２０（例えばサウンドバーであってもよい）及び画像表示器３３０を含む。携帯装置３１０は、オーディオ再生装置３２０に無線接続される。オーディオ再生装置３２０は、画像表示器３３０に接続（有線接続又は無線接続）される。携帯装置３１０は、マルチメディアストリームデータＭＳＤを伝送するのに用いられる。オーディオ再生装置３２０は、第１のマルチメディアチャネルＭＣ１を介して携帯装置３１０に無線接続されると共に、第２のマルチメディアチャネルＭＣ２を介して画像表示器３３０に無線接続又は有線接続される。オーディオ再生装置３２０は、マルチメディアストリームデータＭＳＤを受信すると共に、当該マルチメディアストリームデータＭＳＤをビデオストリームデータＶＳＤとオーディオストリームデータＡＳＤ（図３には示さず）とに分離する。オーディオ再生装置３２０は、オーディオストリームデータＡＳＤをスピーカ（図３には示さず）を介してオーディオ再生する。特筆すべきことは、オーディオ再生装置３２０は、上述した実施例におけるオーディオ再生装置１００及びオーディオ再生装置２００のいずれか１つであってもよい。
【００３２】
＜マルチメディアビデオ再生方法の１つの実施例＞
図４を用いて説明する。図４は、本発明に係る例示的実施例におけるマルチメディアビデオ再生方法を示すフローチャートである。本実施例における例示的ステップフローは、例えば図１又は図２に示すオーディオ再生装置１００又はオーディオ再生装置２００（オーディオ再生装置１００又はオーディオ再生装置２００は、サウンドバーであってもよい）を利用することで実施することができる。従って、本実施例の説明又は理解にあたっては、図１又は図２を併せて参考にすることができる。マルチメディアビデオ再生方法は、無線受信ユニットが携帯装置から伝送されたマルチメディアストリームデータを、携帯装置との間に第１のマルチメディアチャネルを有するアンテナを介して無線受信するステップ（ステップＳ４１０）と、マルチメディア処理ユニットがマルチメディアストリームデータを受信すると共に当該マルチメディアストリームデータをビデオストリームデータとオーディオストリームデータとに分離するステップ（ステップＳ４２０）と、ビデオ送受信機が第２のマルチメディアチャネルを介してビデオストリームデータを画像表示器に伝送してビデオ再生を行うステップ（ステップＳ４３０）と、オーディオ処理ユニットがオーディオストリームデータを受信して復号化すると共に、復号化したオーディオストリームデータをスピーカに伝送してオーディオ再生を行うステップ（ステップＳ４４０）と、を含む。
【００３３】
マルチメディアビデオ再生システムのマルチメディアビデオ再生方法における各ステップの関連する詳細内容については、上述した図１〜図３の実施例においてすでに詳細に説明しているため、ここでは説明を省略する。説明すべきことは、図４の実施例における各ステップは、説明の便宜上述べたものであって、本発明の実施例は、各ステップ相互間の順序を本発明の各実施例を実施する際の制限条件とするものではない。
【００３４】
このように、本発明の実施例に係るオーディオ再生装置、マルチメディアビデオ再生システム及びその再生方法では、マルチメディア処理ユニットを利用することで、マルチメディアストリームデータをビデオストリームデータとオーディオストリームデータとに分離すると共に、ビデオストリームデータとオーディオストリームデータとをそれぞれ画像表示器とスピーカとに伝送する。これにより、消費者が無線ビデオストリーミング機能を使用する際の設置方式を簡素化すると共に、より好ましい鑑賞及び聴感体験を実現することができる。
【００３５】
本発明は、ハードウェア、ソフトウェア、ファームウェア又はそれらの組み合わせを含む適合するいずれの形式においても実施することが可能である。本発明は、１つ又は複数のデータ処理器及び／又はデジタル信号処理器において実行されるコンピュータソフトウェアにおいて部分的に実施することも可能である。本発明の実施例に係るユニット及び部材は、実体として、機能として、又はロジックとして、適合するいずれの方式によっても実施することが可能である。実際に、ある機能は単一のユニット、複数のユニット、又はその他の機能ユニットの一部分内において実施することができる。本発明自体について言えば、単一のユニットにおいて実施してもよく、又は、実体として若しくは機能として異なるユニット及び処理器に配置されてもよい。
【００３６】
以上は、本発明の実施例に過ぎず、本発明の特許請求の範囲を限定するものではない。
【符号の説明】
【００３７】
１００、２００    オーディオ再生装置
１１０    無線受信ユニット
１２０    マルチメディア処理ユニット
１３０    ビデオ送受信機
１４０    オーディオ処理ユニット
１５０    オーディオ増幅ユニット
１６０    スピーカ
２１０    コネクタ
３００    マルチメディアビデオ再生システム
３１０    携帯装置
３２０    オーディオ再生装置
３３０    画像表示器
ＡＳＤ    オーディオストリームデータ
ＡＴ    アンテナ
ＩＭ    画像表示器
ＭＤ    携帯装置
ＭＳＤ    マルチメディアストリームデータ
ＭＣ１    第１のマルチメディアチャネル
ＭＣ２    第２のマルチメディアチャネル
ＶＳＤ    ビデオストリームデータ
【図１】
0005870149.tif 000002
【図２】
0005870149.tif 000003
【図３】
0005870149.tif 000004
【図４】
0005870149.tif 000005